(57)【要約】      （修正有）【課題】缶に直接印刷することよりも経済的な宣伝媒体を提供する。【解決手段】不浸透性かつ耐久性があって、好ましくは印刷された情報と選択的に孔開けされた点字を有し、その缶の構造と似た構造を有し、円筒状で、底面と上面において開口され、その缶を側面に沿って覆うように当該缶よりわずかに大きな寸法を有する、管状体１からなる、飲料缶用の保護カバー及び宣伝媒体に関する。前記管状体１には、部分的に事前に孔開けされた細長い帯状片３又は他の類似の公知の構成を備えるような、少なくとも一つの引裂手段が設けられている。選択的に、それを掴むことを容易にする為に、少なくとも一つのつまみ（タブ）４をその端部に有している。加えて、管状体１の下に、缶の上面又は上面と底面との端部両方に、衛生的に当該部分を覆って保護する為に、一つ又は二つの付加的な金属ホイル５を包含することが、可能性として想定される。【選択図】図１
0003171561.tif 000002
【実用新案登録請求の範囲】
【請求項１】
特に衛生的な特性を有する保護部材として適用可能、かつ、公に向けたメッセージないし宣伝要素を支持する物として適用可能な、飲料缶用の保護カバー及び宣伝媒体において、
不浸透性かつ耐久性のある材料、好ましくは薄いプラスチック又は植物性プラスチック又はセロハン又はそれらの類似物、を原料とし、かつ、
好ましくは印刷された情報を有し選択的に点字用に孔開けされており、かつ、
缶（２）の構造と似た構造、すなわち、上面及び底面の端部が開口した円筒状の構造を有しており、かつ、缶を側面に沿って覆うように缶（２）の寸法よりわずかに大きい寸法を有し、かつ、
その適用のために加熱される時、缶の形状に適合し、好ましくは缶全体において、缶を覆うようになっており、かつ、
部分的に事前に圧痕又は孔開けされた細い帯状片（３）又は他の類似の公知の構成のような少なくとも一つの引裂手段を有し、
選択的にそれを掴むことを容易にする為の少なくとも一つのつまみ（４）を前記帯状片の端部に有する、
管状体（１）からなることを特徴とする飲料缶用の保護カバー及び宣伝媒体。
【請求項２】
管状体（１）の内側で、缶の上面又は上面と底面との両方に、衛生的に前記面を覆い保護するために、一つ又は二つの付加的な金属ホイル（５）を有することを特徴とする請求項１記載の飲料缶用の保護カバー及び宣伝媒体。
【考案の詳細な説明】
【技術分野】
【０００１】
本書面に表された発明は、飲料缶用の保護カバー及び宣伝媒体に関するものである。
【０００２】
更に具体的に述べると、本発明の主題は、特に衛生的な特性を有する保護要素として、及び、飲料用缶に対する販売促進用宣伝や公に向けたメッセージを与えるための宣伝媒体として機能することが目的のカバーである。当該カバーによって、開封前の缶上の汚れの存在や場合によってはバクテリアの存在についての懸念無しで、安全に口の中に缶を入れて当該缶から直接飲むことができるように、適切な衛生状態が缶の表面に効果的且つ単純な態様で保証される。また、当該カバーは、缶の全体を覆うので、当該カバー上に販売促進用宣伝や公に向けたメッセージを印刷することが、金属上への従来の適用例よりも、かなり経済的且つ単純な態様で、容易に行えるようになった。
【背景技術】
【０００３】
既知のように、飲料用缶は、容器の一種であり、広く使用されている。その主な利点は、内容物を適切且つ快適に消費するためにコップや他の容器を必要としないこと、すなわち、使用の容易さにある。しかし、このタイプの容器は、重大な欠点を有している。すなわち、かなり長い時間となることがある移動（搬送）ないし貯蔵の間に、単純なほこりや缶の上に溢れたり堆積する任意の種類の物質から、倉庫やその類似の設備の中をコントロールされること無しに一般的に「自由に歩き回る」様々な動物（ねずみ、ゴキブリ、アリ、ハエ）の排泄物や尿に至るまで、当該缶は全ての種類の堆積汚れの影響を受けやすい。
【０００４】
前記問題は、いくつかの例によって、例えば、ある企業によって使用されている缶の「パック」やグループ化のためのプラスチック包装材の使用によって、部分的には解決されている。しかし、当該包装材は、たいてい部分的に開放していて、缶を全体的には覆わないだけでなく、どんな種類の安全なシールも包含していない。他方では、前記「パック」が各々の個別の缶やより小さいグループの缶に分けられる場合、包装材は破かれたり又は直接的に排除されてしまい、缶から直接的に飲む場合に、我々の口に到達する可能性のある缶が、非衛生的な要素、例えば病原体にさえ、新たに露出してしまう。
【０００５】
他方では、情報及び/又は公的な特性の印刷は、缶の金属部の上に直接的に行うよりも、プラスチック補助部材の上に行う方が、より単純でより経済的である。
【０００６】
最後に、他の不利な点は、視覚障害のある人々による読解を可能にする点字の形態で缶上に直接的にメッセージ及び/又は情報を含むことが難しい、という事実である。
【０００７】
従って、ユーザーによって消費されるまさにその瞬間まで、それぞれの缶の上面の衛生的な状態を保証するある種の保護要素を創案し、更に、当該保護要素が、宣伝媒体もまた形成することが望まれている。これが、本発明の主題である。他方、ここに提示される要素に対して類似するような技術、構造及び形態の特徴を有する他の要素の存在は知られていなかったことが、留意されなければならない。
【考案の開示】
【０００８】
本発明によって提示される飲料缶用の保護カバー及び宣伝媒体は、当該分野において顕著な新規性を提供する。その適用は、好適なものとして前述された目的を達成することを可能にする。特徴の詳細は、特許請求の範囲に示されている。
【０００９】
特に、提示されるカバーは、本質的には十分な不浸透性と十分な耐久性とを有する素材、好ましくは薄いプラスチック、植物性プラスチック、セロハン又はそれらの類似物、で作られた本体からなる。当該本体は、好ましくは印刷された情報を有しており、缶の構造と似た構造を有しており、例えば、前記素材に適用される熱処理技術（熱成形）を使用することによって設置される。他の可能性として、選択的に蓋の導入によって缶の上端と下端を覆うことによって、缶の全体を覆う場合もある。前記カバーは、有利なことに、引裂手段を有する。当該引裂手段は、従来より知られた手段のいずれかであり、缶が衛生的な状態であることを保証し、カバーの開封を容易にするために対応する横つまみ（タブ）を選択的に導入している（組込んでいる）。
【００１０】
前記カバーを組付けることは、缶に直接印刷することよりも経済的な宣伝媒体を提供することに加えて、視覚障害者用に点字により広報内容や商標を含ませるために点字を前記カバーに孔空けすることの可能性をも提供する、ということが留意されなければならない。
【００１１】
このような新規な飲料缶用の保護カバーと宣伝媒体は、今までこのような目的に対して知られていなかった構造上の特徴を備えた革新的な構成を示す。この特徴は、実用的な用途と共に、独占権を得る為の十分な根拠を与えるものである。
【図面の簡単な説明】
【００１２】
【図１】図１は、本発明の主題である飲料缶用の保護カバー及び宣伝媒体の実施形態の斜視図であり、意図された通り缶の上に適切に置かれており、それを構成している部分や要素同様、それが設置された態様を示している。
【図２】図２は、図１に示された実施形態の断面図である。
【考案を実施するための最良の形態】
【００１３】
記載された明細書を補足するため、及び、発明の特徴のより良い理解を支援するため、一連の図面が本書面に一体的なものとして添付されている。それらは、説明のために設けられているが、本発明を限定する目的では設けられていない。
【００１４】
図面を参照すれば、用いられた符号に従いながら、本発明の好ましい実施形態が以下に詳細に記述された要素や部分を備えている。
【００１５】
図面に見られるように、本件のカバーは、示されているように、保護部材として、特には衛生的な特性を有する保護部材として、適用可能であり、且つ、公に向けたメッセージないし要素の宣伝媒体として、適用可能である。本件のカバーは、基本的に管状体（１）からなり、適切な不浸透性と十分な耐久性とを有する材料、好ましくは薄いプラスチック、植物性プラスチック、セロハン又はそれらの類似物、を原料として、且つ、好ましくは印刷された情報を有しており、且つ、選択的に点字用に孔開けされており、且つ、缶（２）の構造と似た構造、すなわち、上面及び底面の端部が開口した円筒状の構造を有しており、且つ、缶（２）を側面に沿って覆うように缶（２）の寸法よりわずかに大きい寸法を有し、且つ、その適用のために加熱される時、缶の形状に適合し、好ましくは缶全体において、缶を覆うようになっている。
【００１６】
前記管状体（１）は、部分的に事前に圧痕を付され又は孔開けされた細い帯状片（３）又はその他の公知の類似の構成のような、少なくとも一つの引裂手段を有し、選択的にその端部においてそれを掴むことを容易にする為の少なくとも一つのつまみ（タブ）（４）を有している。
【００１７】
加えて、前記カバーを形成する前記管状体（１）の内側で、缶の上面又は上面と底面との両方に、衛生的に当該面を覆って保護するために、一つ又は二つの付加的な金属ホイル（５）を有することが想定される。この態様によれば、缶（２）の上面の衛生状態を確実に守ることができ、そこから直接飲むことを可能とするべく、当該上面に対応する開口タブ（つまみ）が設けられ得る。
【００１８】
本発明を実施する方法と同様に、本発明の特性が十分に記述されたので、本発明の更に詳細な説明は、衛生の分野や宣伝媒体の分野やそれらを利用する技術分野の当業者の理解にとって、必要とは思われない。本発明は、その本質の範囲内において、例示的に与えられたにすぎない前記実施の形態に対して細部においてのみ異なる他の実施形態においても実施することができる。当該他の実施形態は、その基本的な原理が変更ないし修正されていないならば、求められている保護範囲に含まれる。
【産業上の利用可能性】
【００１９】
本発明を適用できる技術分野は、素材を包装する製造業に関わる産業分野に含まれる。
【図１】
0003171561.tif 000003
【図２】
0003171561.tif 000004
【手続補正書】
【提出日】平成23年6月1日(2011.6.1)
【手続補正１】
【補正対象書類名】実用新案登録請求の範囲
【補正対象項目名】全文
【補正方法】変更
【補正の内容】
【実用新案登録請求の範囲】
【請求項１】
保護部材として適用可能、かつ、公に向けたメッセージないし宣伝要素を支持する物として適用可能な、飲料缶用の保護カバー及び宣伝媒体において、
不浸透性かつ耐久性のある材料、を原料とし、かつ、
缶（２）の構造と似た構造、すなわち、上面及び底面の端部が開口した円筒状の構造を有しており、かつ、缶を側面に沿って覆うように缶（２）の寸法よりわずかに大きい寸法を有し、かつ、
その適用のために加熱される時、缶の形状に適合し、缶を覆うようになっており、かつ、
少なくとも一つの引裂手段を有する、
管状体（１）からなることを特徴とする飲料缶用の保護カバー及び宣伝媒体。
【請求項２】
衛生的な特性を有する保護部材として適用可能である
ことを特徴とする請求項１に記載の飲料缶用の保護カバー及び宣伝媒体。
【請求項３】
前記管状体（１）は、薄いプラスチック、植物性プラスチック、セロハン、又は、それらの類似物を原料とする
ことを特徴とする請求項１または２に記載の飲料缶用の保護カバー及び宣伝媒体。
【請求項４】
前記管状体（１）は、印刷された情報を有する
ことを特徴とする請求項１乃至３のいずれかに記載の飲料缶用の保護カバー及び宣伝媒体。
【請求項５】
前記管状体（１）は、点字用に孔開けされている
ことを特徴とする請求項１乃至４のいずれかに記載の飲料缶用の保護カバー及び宣伝媒体。
【請求項６】
前記管状体（１）は、その適用のために加熱される時、缶全体において缶を覆うようになっている
ことを特徴とする請求項１乃至５のいずれかに記載の飲料缶用の保護カバー及び宣伝媒体。
【請求項７】
前記引裂手段は、部分的に事前に圧痕又は孔開けされた細い帯状片（３）である
ことを特徴とする請求項１乃至６のいずれかに記載の飲料缶用の保護カバー及び宣伝媒体。
【請求項８】
前記管状体（１）は、前記帯状片（３）を掴むことを容易にする為の少なくとも一つのつまみ（４）を前記帯状片（３）の端部に有する
ことを特徴とする請求項７に記載の飲料缶用の保護カバー及び宣伝媒体。
【請求項９】
管状体（１）の内側で、缶の上面又は上面と底面との両方に、衛生的に前記面を覆い保護するために、一つ又は二つの付加的な金属ホイル（５）を有する
ことを特徴とする請求項１乃至８のいずれかに記載の飲料缶用の保護カバー及び宣伝媒体。